(57)【要約】【課題】  ユーザがシャッタチャンスを逃すことなく、撮像素子近傍に付着した異物の撮影画像への影響を極力排除した構図を決めることが可能な撮像装置を提供する。【解決手段】  ファインダには、接眼窓を通して同時に観察可能である、被写体像が光学像として観察される第１表示領域と、表示手段により表示される電子画像が観察される第２表示領域とを設ける。そして、異物情報検出手段によって検出された異物の位置情報を、すでに撮影された画像に重畳して、第２表示領域に表示する表示手段とを設ける。【選択図】  図１１
2010016614.tif 000002
【特許請求の範囲】
【請求項１】
撮影レンズにより結像された被写体像を光電変換する撮像素子と、
前記被写体像が光学像として観察される第１表示領域と、表示手段により表示される少なくとも前記撮像素子によって光電変換された電子画像が観察される第２表示領域とを、接眼窓を通して同時に観察可能であるファインダ手段と、
前記撮像素子の光電変換信号に基づいて、前記撮像素子の前方に配置された光学素子に付着した異物の少なくとも位置に関する情報である異物情報を検出する異物情報検出手段と、
前記異物情報検出手段によって検出された異物の位置情報を、撮影画像に重畳して前記第２表示領域に表示する表示手段とを有する撮像装置。
【請求項２】
前記表示手段は、設定された撮影条件に応じて表示状態を変更することを特徴とする請求項１に記載の撮像装置。
【請求項３】
前記表示手段は、前記異物情報検出手段によって検出された異物の個数に応じて表示状態を変更することを特徴とする請求項１に記載の撮像装置。
【請求項４】
前記表示手段は、前記異物情報検出手段によって検出された異物の大きさに応じて表示状態を変更することを特徴とする請求項１に記載の撮像装置。
【請求項５】
前記表示手段が前記第２表示領域に異物の位置情報を表示するときに、前記第１表示領域に表示される光学像を暗くする制御手段を有する請求項１に記載の撮像装置。
【発明の詳細な説明】
【技術分野】
【０００１】
本発明は、電子画像を撮影する撮像装置に関する。
【背景技術】
【０００２】
従来、この種の撮像装置として、光学ファインダと電子ファインダとを切り替え可能とし、撮影姿勢を崩さずに再生画像の確認動作を容易にしたカメラが知られている（特許文献１参照）。このカメラは、撮影レンズを通った物体像を光学的にファインダに導く第１のファインダ系と、撮像素子および表示装置を介して電子的にファインダに導く第２のファインダ系とを有する。また、このカメラは、これら両ファインダ系の有効状態を切り替えるファインダ切替部を有する。また、このカメラは、蓄積部に記録する記録モードとこの蓄積部から読み出して表示装置に表示する再生モードとを切り替えるモード切替部と、これら両モードの切り替えを行う制御部とを有する。
【０００３】
このカメラでは、制御部が記録モードから再生モードに切り替えたときに、ファインダ切替部は、ファインダ系を強制的に第２のファインダ系の有効状態に切り替える。そして、制御部が再び記録モードに切り替えを戻したときには、ファインダ切替部は、元の記録モードで有効状態とされていた方のファインダ系に自動復帰する。
【０００４】
また、デジタルカメラなどの撮像装置では、撮像素子に固定された撮像素子保護ガラス、撮像素子の前方に配置された光学素子等の表面上や光学系（以下、まとめて撮像素子光学系部品）にゴミ、ほこりなどの異物（以下、単に異物）が付着する場合がある。このように撮像素子光学系部品に異物が付着すると、その異物によって光が遮られ、その部分が撮影されないなど、撮影した画像の品質が低下するという問題があった。
【０００５】
このような問題に対して、レンズの絞りを絞った状態で白い壁などを撮影し、撮像素子上の異物だけが写った画像を予め用意して通常撮影画像と組み合わせて使用することで、異物を目立たなくする方法が知られている（特許文献２参照）。
【特許文献１】特開２００４−３５７１２３号公報
【特許文献２】特開２００２−２０４３７９号公報
【発明の開示】
【発明が解決しようとする課題】
【０００６】
ユーザが撮影時に異物情報を確認したい場合、特許文献２で開示されているような異物情報を電子情報として表示する必要があるが、一般的に背面に設けられている液晶表示部や、特許文献１に開示されている第２ファインダ系に表示することが考えられる。しかし、このように構成した場合、被写体光学像と同時に観察することができないため、異物が存在する位置に主要な被写体が重ならないように構図を決めることができなかった。特に、液晶表示部と光学被写体像を交互に確認しようとした場合、シャッタチャンスを逃す恐れがあった。
【０００７】
そこで、本発明は、上記問題点に鑑みなされたものであり、ユーザがシャッタチャンスを逃すことなく、異物の影響を極力排除した構図を決めることが可能な撮像装置を提供することを目的とする。
【課題を解決するための手段】
【０００８】
上記目的を達成するために、本発明の撮像装置は、撮影レンズにより結像された被写体像を光電変換する撮像素子と、前記被写体像が光学像として観察される第１表示領域と、表示手段により表示される少なくとも前記撮像素子によって光電変換された電子画像が観察される第２表示領域とを、接眼窓を通して同時に観察可能であるファインダ手段と、前記撮像素子の光電変換信号に基づいて、前記撮像素子の前方に配置された光学素子に付着した異物の少なくとも位置に関する情報である異物情報を検出する異物情報検出手段と、前記異物情報検出手段によって検出された異物の位置情報を、撮影画像に重畳して前記第２表示領域に表示する表示手段とを有することを特徴とする。
【発明の効果】
【０００９】
本発明によれば、ファインダから目を離すことなく被写体光学像の観察を可能としたままで異物情報を確認することができるため、シャッタチャンスを逃すことなく、異物の影響を極力排除した構図を決めることができる。
【発明を実施するための最良の形態】
【００１０】
本発明の撮像装置の実施の形態について図面を参照しながら説明する。本実施形態の撮像装置はデジタル一眼レフカメラに適用される。
【００１１】
［第１の実施形態］
本実施形態のデジタル一眼レフカメラは、ＣＭＯＳやＣＣＤ等の撮像素子で物体像（被写体像）を撮像するスチルカメラである。このデジタル一眼レフカメラでは、撮像動作の開始を指示するためのレリーズ釦がカメラの外装筐体に設けられている。また、このカメラは、撮像モードとして、レリーズ釦を押し続けている間、撮像動作を繰り返す連続撮像モード（連写モード）を備えている。カメラは、この連写モードが選択された状態でレリーズ釦が操作されている間、物体像観察用可動ミラーを撮像光路外に退避させ、物体像（被写体像）を電子画像に光電変換する撮像動作を繰り返し行うようになっている。
【００１２】
図１は第１の実施形態におけるデジタル一眼レフカメラの電気回路の概略的構成を示す図である。デジタル一眼レフカメラ５０は、カメラ全体の動作シーケンスを司るＣＰＵ１４１、照明ユニット１０１、撮影レンズ１２０、可動ミラー１２４、シャッタ１２６および撮像素子１２７を有する。撮像素子１２７はアスペクト比３：２の矩形の撮像部を有する。
【００１３】
また、デジタル一眼レフカメラ５０は、ファインダ装置１３０、焦点検出装置１３９、内蔵プリンタ１６０、ズーム・ピント・防振駆動回路１３４、絞り駆動回路１３５、ミラー駆動回路１３６およびＡＦセンサ駆動回路１３７を有する。
【００１４】
また、デジタル一眼レフカメラ５０は、シャッタ駆動回路１３８、除塵機構駆動回路１６９、プリンタ制御回路１６１、撮像素子防振制御回路１７２、ＧＰＳ回路１６２、無線通信回路１６３およびデジタルテレビチューナ１６４を有する。プリンタ制御回路１６１は内蔵プリンタ１６０を制御する。撮像素子防振制御回路１７２は撮像素子１２７の位置を動かして画像の振れを止める。ＧＰＳ回路１６２はカメラの位置を計測する。
【００１５】
また、デジタル一眼レフカメラ５０は、赤外線通信回路１７０、音声処理回路１６５および画像改ざん検知用データ処理回路１６６を有する。赤外線通信回路１７０は携帯電話等との間で比較的少ないデータ量の通信を行う。音声処理回路１６５には、マイクやスピーカが含まれる。
【００１６】
また、デジタル一眼レフカメラ５０は、スイッチ入力部１４２、ＥＥＰＲＯＭ１４３、信号処理回路１４５、照明制御回路１４６、ＥＰＲＯＭ１４７、ＳＤＲＡＭ１４８およびフラッシュメモリ１５０を有する。
【００１７】
撮影レンズ１２０は、光軸を１２０ａとし、レンズマウント１２０ｂに取り付けられる。また、撮影レンズ１２０は、複数のレンズ群１２１、１６７、１２３から構成され、これらのレンズ群の間には、絞り機構１２２が設けられている。レンズ群１２１、１６７、１２３はズーム・ピント・防振駆動回路１３４によって駆動される。また、絞り機構（単に絞りという）１２２は絞り駆動回路１３５によって駆動される。
【００１８】
レンズ群１２１、１６７、１２３の後方には、可動ミラー１２４が設けられている。可動ミラー１２４は、ハーフミラーおよびその保持機構から構成され、第１の位置であるミラーダウンの位置と第２の位置であるミラーアップの位置に移動自在である。可動ミラー１２４は、露光時（撮像時）に、固定軸１２４ａの周りに回転しながら、第１の位置からフォーカシングスクリーン１３１に向けて、ミラーアップの位置である第２の位置に跳ね上がり、撮影光路から待避する。また、可動ミラー１２４の中央部分の背面には、凹面鏡で構成されたサブミラー１２５が図中下方に物体光を反射するように設けられている。
【００１９】
サブミラー１２５の反射光軸の下方には、２つのレンズで像分離を行う再結像光学系１２８が設けられ、さらに、再結像光学系１２８による物体像の結像位置には、ＡＦセンサ１２９が設けられている。ＡＦセンサ１２９には、ＡＦセンサ駆動回路１３７が接続されている。
【００２０】
なお、サブミラー１２５、再結像光学系１２８およびＡＦセンサ１２９は、焦点検出装置１３９を構成する。焦点検出装置１３９は、公知の位相差検出方式によって、撮像素子１２７上の複数の位置において物体の結像状態を検出する。
【００２１】
ズーム・ピント・防振駆動回路１３４は、既知の電磁モータ、超音波モータ等の駆動源、これらの駆動源を制御するドライバ回路、レンズ瞳の位置を検出するエンコーダ装置等から構成されている。ズーム制御およびピント制御では、レンズ群１２１、１６７、１２３の光軸１２０ａ方向の位置が制御される。また、防振制御では、レンズ群１６７の光軸１２０ａと直交する方向の位置が制御される。
【００２２】
可動ミラー１２４の反射光路上には、ファインダ光学系が設けられている。ファインダ光学系は、フォーカシングスクリーン１３１、光学ガラスからなるペンタプリズム１３２、接眼レンズ１３３等から構成される。ファインダ装置１３０は、このファインダ光学系に、液晶表示器１０８、プリズム１５４、測光レンズ１５５、測光センサ１５６等を加えた構成を有する。
【００２３】
撮影レンズ１２０のレンズ群１２１、１６７、１２３を透過した物体光（入射光）は、可動ミラー１２４で反射され、フォーカシングスクリーン１３１上に結像される。観察者は、このフォーカシングスクリーン１３１に結像された光学物体像（光学像）を、ペンタプリズム１３２および接眼レンズ１３３を介し、単一の接眼窓１６８を通して視認する。光学像を観察する利点は、時間遅れが事実上無いことである。
【００２４】
測光センサ１５６は、測光レンズ１５５を介してフォーカシングスクリーン１３１上の物体像の明るさを測光するためのセンサである。測光センサ１５６は、ファインダ装置１３０内の、接眼レンズ１３３の観察光軸から偏心した測光軸上の位置に測光レンズ１５５とともに設けられている。また、測光センサ１５６は、複数に分割された受光面を有するフォトダイオードで形成されている。ＣＰＵ１４１は、測光センサ１５６のフォトダイオードから個々に出力された輝度出力に対し、焦点検出装置１３９によるフォーカシングスクリーン１３１上の測距位置に応じた演算を施す。そして、ＣＰＵ１４１は、この演算結果から露光制御を行うための物体輝度情報（ＢＶ値）を求める。
【００２５】
可動ミラー１２４の後方には、シャッタ１２６、除塵機構１６９、およびＣＣＤやＣＭＯＳイメージャ等の撮像素子１２７が設けられている。
【００２６】
シャッタ１２６は、シャッタ駆動回路１３８によって駆動されて所定秒時開放し、物体像を撮像素子１２７の受光面に導くものである。可動ミラー１２４がミラー駆動回路１３６により駆動され、撮影レンズ１２０の光軸上から退避するために第２の位置に上昇し、シャッタ１２６がシャッタ駆動回路１３８により駆動され、開状態になる。これにより、撮像素子１２７の受光面に物体像が導かれ、撮像動作が行われる。この際、撮像素子防振制御回路１７２に接続された撮像素子防振機構１７１は、画像のブレを打ち消す方向に撮像素子１２７をシフトおよび回転させ、画像が流れて解像感が失われることを防ぐ。
【００２７】
なお、撮像素子防振機構１７１は、ファインダ装置１３０への光路の分割位置よりも撮像素子１２７よりにあるので、撮像素子１２７のシフトや回転による構図の変化をファインダ装置１３０で確認することはできない。
【００２８】
除塵機構１６９は、光学ローパスフィルタや赤外線カットフィルタである光学素子を機械的に振動させ、これらに付着した異物に加速度を与え、それによって発生する力で異物を振るい落とすものである。
【００２９】
マイクロプロセッサで構成されるＣＰＵ１４１には、データバス１５２を介して、ズーム・ピント・防振駆動回路１３４、絞り駆動回路１３５、ミラー駆動回路１３６、ＡＦセンサ駆動回路１３７および除塵機構駆動回路１６９が接続されている。また、ＣＰＵ１４１には、データバス１５２を介して、シャッタ駆動回路１３８、プリンタ制御回路１６１、撮像素子防振制御回路１７２、ＧＰＳ回路１６２、無線通信回路１６３、デジタルテレビチューナ１６４および赤外線通信回路１７０も接続されている。また、ＣＰＵ１４１には、データバス１５２を介して、前述した音声処理回路１６５、画像改ざん検知用信号処理回路１６６および照明制御回路１４６も接続されている。また、ＣＰＵ１４１には、データバス１５２を介して、スイッチ入力部１４２、および不揮発性メモリであるＥＥＰＲＯＭ１４３が接続されている。さらに、ＣＰＵ１４１は、後述する異物検出部１００１を包含する。
【００３０】
スイッチ入力部１４２は、カメラの外装筐体に設けられたレリーズ釦（図示せず）の半押し操作に連動してオンになる第１レリーズスイッチ、および同レリーズ釦の深押し操作に連動してオンになる第２レリーズスイッチを有する。また、スイッチ入力部１４２は、カメラのパワースイッチに連動するスイッチ、カメラ内の各種モード釦に連動するモードスイッチ等の複数のスイッチを有する。スイッチ入力部１４２は、いずれかのスイッチ操作に基づく操作信号をＣＰＵ１４１に供給する。
【００３１】
ＥＥＰＲＯＭ１４３は不揮発性の半導体メモリである。ＥＥＰＲＯＭ１４３には、生産工程において、個々のカメラのばらつきを抑えて出荷するために必要なカメラの固体毎の調整値が格納されている。また、ＥＥＰＲＯＭ１４３には、測光センサ１５６からの出力により、ＣＰＵ１４１が後述するバックライト１０８ｂの光量を規定するためのＢＶ値とバックライト光量の関係を示す係数等が格納されている。
【００３２】
ＣＰＵ１４１は、第１レリーズスイッチがオンになると、ＡＦセンサ駆動回路１３７を制御し、ＡＦセンサ１２９上の２像間の距離を演算し、その距離データからズーム・ピント・防振駆動回路１３４を制御し、撮影レンズ１２０の焦点調整を行う。
【００３３】
また、ＣＰＵ１４１は、第２レリーズスイッチがオンになると、ミラー駆動回路１３６を制御し、可動ミラー１２４を光軸上から第２の位置に退避させる。ＣＰＵ１４１は、この退避制御とともに、測光センサ１５６の出力に基づく物体輝度情報を基に、適正絞り値、シャッタ秒時および撮像素子感度を求める。ＣＰＵ１４１は、求めた絞り値で絞り駆動回路１３５を介して絞り機構１２２を駆動させる。ＣＰＵ１４１は、求めたシャッタ秒時でシャッタ駆動回路１３８を介してシャッタ１２６を駆動させる。
【００３４】
また、ＣＰＵ１４１は、ＥＥＰＲＯＭ１４３に格納されたＢＶ値とバックライト光量の関係を示す係数を参照し、バックライト１０８ｂに供給する電流量を決定し、視認するに適切な光量を得る。
【００３５】
シャッタ１２６の開動作によって、物体像が撮像素子１２７の受光面に結像すると、この物体像は、アナログ画像信号に変換され、さらに、信号処理回路１４５においてデジタル画像信号に変換される。
【００３６】
信号処理回路１４５は、その内部にＲＩＳＣプロセッサ、カラープロセッサ、ＪＰＥＧプロセッサを含み、デジタル画像信号の圧縮・伸張処理、ホワイトバランス処理、エッジ強調処理等の画像処理を行う。また、信号処理回路１４５は、液晶表示器１０８に出力されるコンポジット信号（輝度信号、色差信号）への変換処理等を行う。
【００３７】
ＣＰＵ１４１および信号処理回路１４５は、通信ライン１５３で接続されている。この通信ライン１５３を介して、画像信号の取り込みタイミング等の制御信号やデータの送受が行われる。
【００３８】
信号処理回路１４５で生成されたコンポジット信号は、ファインダ装置１３０内の液晶表示器１０８に出力され、電子物体像が表示される。この液晶表示器１０８は、ペンタプリズム１３２と接眼レンズ１３３の間に設けられている。液晶表示器１０８は、カラー画像を表示するための表示素子であるＬＣＤ（液晶表示素子）１０８ａ、およびこのＬＣＤ１０８ａの表示面を後方から照明するためのバックライト１０８ｂから構成される。バックライトライト１０８ｂには、例えば白色ＬＥＤが用いられる。
【００３９】
ペンタプリズム１３２には、第３反射面１３２ａを延長した面１５４ｂを有し（図３参照）、ペンタプリズム１３２と同一の屈折率を有するプリズム１５４がインデックスマッチングを取った接着剤を用いて固着されている。液晶表示器１０８を発した光線は、プリズム１５４の内部で２回反射し、接眼レンズ１３３の方向へ導かれる。この際、液晶表示器１０８のＬＣＤ１０８ａの表示面は、面１５４ａの曲率によって、フォーカシングスクリーン１３１と光学的に等価な位置となっている。そして、可動ミラー１２４が第１の位置にあるか第２の位置にあるかに拘わらず、ＬＣＤ１０８ａに表示された画像は接眼窓１６８を通して観察可能である。なお、ＬＣＤ１０８ａに表示された画像の明るさは、バックライト１０８ｂである白色ＬＥＤの電流供給量を変化させることで、適切な明るさに調整される。
【００４０】
信号処理回路１４５は、データバス１５１を介して、ＥＰＲＯＭ１４７、ＳＤＲＡＭ（シンクロナスダイナミックランダムアクセスメモリ）１４８およびフラッシュメモリ１５０に接続されている。
【００４１】
ＥＰＲＯＭ１４７には、信号処理回路１４５に含まれるプロセッサ（ＣＰＵ）で処理されるプログラムが格納されている。ＳＤＲＡＭ１４８は、画像処理前の画像データや画像処理中の画像データを一時的に記憶する揮発性のメモリである。フラッシュメモリ１５０は、最終的に確定された画像データを記憶する不揮発性のメモリである。ＳＤＲＡＭ１４８は高速動作を行うことができるが、電源供給が停止されるとその記憶内容が消滅する。一方、フラッシュメモリ１５０は低速動作であるが、カメラの電源がオフされても記憶内容が保存される。
【００４２】
照明ユニット１０１は、発光パネル１０３、反射傘１１８およびＲＧＢ各色の高輝度ＬＥＤ１１９を有する。高輝度ＬＥＤを発した光は、直接に、あるいは反射傘１１８で反射され、発光パネル１０３を通過して物体に向けて照射される。なお、照明ユニット１０１は、カメラ本体から取り外されても、内蔵電池（図示せず）によって無線通信回路が機能する。つまり、照明ユニット１０１は、例えばＵＷＢ規格で無線通信回路１６３を介してカメラ本体（カメラ５０）と通信し、カメラ本体側から遠隔操作できるように構成されている。照明制御回路１４６は、ＣＰＵ１４１の制御の下で、ＲＧＢ各色の光量バランスを決定し、高輝度ＬＥＤ１１９への発光指示を制御する。
【００４３】
図２は信号処理回路１４５の電気回路の構成およびそれに接続される周辺回路を示すブロック図である。信号処理回路１４５には、信号処理動作を制御する制御回路としてのＣＰＵ５００、およびＣＰＵ５００に接続され、ＣＰＵ５００からの制御信号に従って動作する複数の回路が含まれている。また、ＣＰＵ５００は、通信ライン１５３を介してカメラシーケンス制御用のＣＰＵ１４１と接続されており、ＣＰＵ１４１から送信された制御信号に従って、信号処理回路１４５内の各回路を制御する。信号処理回路１４５内には、複数の回路として、第１の画像処理回路５０１、間引き・抽出処理回路５０２、第２の画像処理回路５０６および第３の画像処理回路５０３が設けられている。また、信号処理回路１４５内には、ビデオデコーダ５０４、ホワイトバランス処理回路５０５およびＪＰＥＧ圧縮／伸張処理回路５０７が設けられている。
【００４４】
第１の画像処理回路５０１は、ＣＰＵ５００で設定された駆動条件に従って、撮像素子１２７を駆動し、撮像素子１２７から出力されたアナログ画像信号をＡ／Ｄ変換してデジタル画像信号を生成する前段処理回路である。また、第１の画像処理回路５０１は、撮像素子１２７の遮光部分の画素信号に基づき、デジタル画像信号を補正する。
【００４５】
間引き・抽出処理回路５０２は、第１の画像処理回路５０１から出力されたデジタル画像信号の間引き処理を行い、第２の画像処理回路５０６および第３の画像処理回路５０３に出力する。ここで、間引き処理とは、解像度を低下させる処理である。なお、第３の画像処理回路５０３に出力されるデジタル画像信号は、液晶表示器１０８に表示される電子物体像の信号である。
【００４６】
ここで、第２の画像処理回路５０６に出力されるデジタル画像信号の間引きの度合いは、ユーザが設定した解像度に応じて、ＣＰＵ５００によって指示される。また、第３の画像処理回路５０３に出力されるデジタル画像信号の間引きの度合いは、画像表示に適した解像度になるように、ＣＰＵ５００によって指示される。
【００４７】
また、間引き・抽出処理回路５０２は、上記デジタル画像信号の一部を抽出し、ホワイトバランス処理回路（以下、ＷＢ処理回路という）５０５に出力する。デジタル画像信号の抽出の方法はＣＰＵ１４１によって指示される。
【００４８】
ＷＢ処理回路５０５は、画像の色バランス（ホワイトバランス）を調整するためのホワイトバランス情報（ＷＢ情報）を出力する回路である。このＷＢ情報は、第３の画像処理回路５０３に直接送られ、第２の画像処理回路５０６には、ＣＰＵ１４１を経由して送られる。
【００４９】
第３の画像処理回路５０３は、液晶表示器１０８の表示用画像を生成する回路である。第３の画像処理回路５０３は、簡易後段処理回路として、上記デジタル画像信号に対し、γ補正、データビット数の削減、ＷＢ情報に基づく色調整、ＲＧＢ信号からＹＣｂＣｒ信号ヘの変換等の公知の処理を行う。一般的に、液晶表示器１０８に撮像画像を繰り返し表示する場合、ソフトウェアによる処理では速度が間に合わないことが多い。従って、表示のための画像処理は、全て第３の画像処理回路５０３でハードウェア的に処理されるようになっている。
【００５０】
ビデオデコーダ５０４は、上記デジタル画像信号を構成するＹＣｂＣｒ信号をＮＴＳＣ信号に変換して電子物体像を形成し、この電子物体像を液晶表示器１０８のＬＣＤ１０８ａに表示させる。なお、ＬＣＤ１０８ａの表示面は、バックライト１０８ｂによって、ＣＰＵ１４１で規定された光量で後方から照明される。
【００５１】
第２の画像処理回路５０６は、フラッシュメモリ１５０に記憶するための上記デジタル画像信号を生成する回路である。第２の画像処理回路５０６は、後段処理回路として、γ補正、上記デジタル画像信号のデータビット数の削減、ＷＢ情報に基づく色調整、ＲＧＢ信号からＹＣｂＣｒ信号への変換、撮像素子１２７の欠陥画素補正、スミア補正、色相や色度等の公知の処理を行う。
【００５２】
ＪＰＥＧ圧縮／伸張処理回路５０７は、第２の画像処理回路５０６で処理されたデジタル画像信号をフラッシュメモリ１５０に記憶する際、ＪＰＥＧ圧縮処理を行う。また、ＪＰＥＧ圧縮／伸張処理回路５０７は、フラッシュメモリ１５０に記憶されたＪＰＥＧ画像を読み出して伸張する。
【００５３】
ＣＰＵ５００内には後述する異物情報表示部１００４が設けられ、ＣＰＵ１４１より入力される異物の個数、大きさ、位置情報等に基づいて異物情報をＬＣＤ１０８ａに表示する。また、ＣＰＵ５００の画像信号は、異物の個数、大きさ、位置の判定のためにＣＰＵ１４１に出力される。さらに、ＣＰＵ５００からは、ＣＰＵ５００の演算結果より、ファインダ視野内において光学像を表示する領域の表示状態を制御する制御信号をＣＰＵ１４１に出力する。
【００５４】
図３はファインダ装置１３０の構成を示す断面図である。図４は図３の矢印Ａ方向から視た場合のファインダ装置１３０の構成を示す側面図である。図１に示す可動ミラー１２４で反射・分岐した光路上には、フォーカシングスクリーン１３１、コンデンサレンズ１８０およびペンタプリズム１３２が設けられている。撮影レンズ１２０のレンズ群１２１、１６７、１２３によってフォーカシングスクリーン１３１上に結像した物体光は、コンデンサレンズ１８０およびペンタプリズム１３２を透過し、面１３２ｂからアイカップ１８６で囲まれた接眼窓１６８の方向へ射出する。この際、物体光は、ダイクロミラー１８２を透過し、３つのレンズ１３３ａ、１３３ｂ、１３３ｃで構成される接眼レンズ１３３を介して、アイカップ１８６に保護されながら接眼窓１６８を覗く観察者の目に到達し、その網膜上で再結像する。
【００５５】
ダイクロミラー１８２は、有機ＥＬ表示素子１８５を発し、ミラー１８４と視度合わせレンズ１８３を透過した光を接眼窓１６８方向に反射する。視野マスク１７９は、撮像素子１２７で撮像される物体像範囲を示す矩形開口を有する。ファインダ観察者は、有機ＥＬ表示素子１８５に示された焦点検出装置１３９の測距点位置情報１９７（図８参照）を視野マスク１７９中の物体像と重ねて見ることができる。
【００５６】
図５は液晶表示器１０８のＬＣＤ１０８ａの画面を示す図である。液晶表示器１０８のＬＣＤ１０８ａは、４：３のアスペクト比を有するカラーの表示部１０８ｃを有する。表示部１０８ｃは、撮像素子１２７と同じ３：２のアスペクト比を有するＬＣＤ表示領域１０８ｄと扁平横長のＬＣＤ表示領域１０８ｅとをそれぞれファインダ視野内の電子画像表示に供している。
【００５７】
また、ＬＣＤ１０８ａのＬＣＤ表示領域１０８ｄを発した光線１９３は、ペンタプリズム１３２の面１３２ｂからペンタプリズム１３２内に入射する。ペンタプリズム１３２内に入射した光線を光線１９２とする。ここで屈折して方向が変化した光線１９２は、次に面１３２ａに入射する。面１３２ａには銀蒸着が施されている。光線１９２はここで反射し、ペンタプリズム１３２に接着により固着されたプリズム１５４に入射する。光線１９２は、銀蒸着が施された面１５４ａで再び反射し、さらに、ペンタプリズム１３２の面１３２ａと連続するプリズム１５４の銀蒸着が施された面１５４ｂに戻ってさらに反射する。そして、光線１９２は、ペンタプリズム１３２の面１３２ｂから接眼窓１６８の方向へ射出する。
【００５８】
このように、プリズム１５４内での反射光路を構成することにより、接眼レンズ１３３からＬＣＤ表示領域１０８ｄまでの光路長は、接眼レンズ１３３からフォーカシングスクリーン１３１までの光路長に近くなる。ＬＣＤ表示領域１０８ｄの視度とフォーカシングスクリーン１３１の視度とはほぼ合致する。
【００５９】
さらに、プリズム１５４の面１５４ａに曲率を付与することで、ＬＣＤ表示領域１０８ｄの視度とフォーカシングスクリーン１３１の視度をより正確に合わせることができる。この際、面１５４ａが平面であっても、もともと両者の視度が近くなっているので、面１５４ａの曲率はごく弱いものでよい。また、面１５４ａの反射光路は偏芯系となるものの、光学諸収差の劣化は無視できる程度である。
【００６０】
図６はペンタプリズム１３２への光線の入射状態を示す図である。ＬＣＤ１０８ａのＬＣＤ表示領域１０８ｄを発した光線１９３のうち、緑色の光線１９３ｇは、ペンタプリズム１３２の面１３２ｂに対して角θ１で斜めに入射し、空気とガラスの界面で屈折し、角θ２でペンタプリズム１３２の内部を進む。ガラスの屈折率の色分散により、光の波長に応じて角θ１と角θ２との関係は異なるので、このままではＬＣＤ表示領域１０８ｄが電子画像表示に供された場合、上下方向の色滲みが発生し、解像感の悪い画像となってしまう。そこで、ＬＣＤ表示領域１０８ｄに表示される電子画像は、予めＲＧＢの画像を色分散によって発生する位置ズレ量だけシフトさせている。
【００６１】
図７はＬＣＤ表示領域１０８ｄに表示される電子画像の位置ズレ状態を示す図である。ＬＣＤ表示領域１０８ｄには、赤色の電子画像１９４ｒ、緑色の電子画像１９４ｇおよび青色の電子画像１９４ｂは上下方向に位置を異ならせてある。この結果、赤色の電子画像１９４ｒ、緑色の電子画像１９４ｇおよび青色の電子画像１９４ｂの対応する位置から発した光線１９３ｒ、１９３ｇ、１９３ｂは、図６に示すように、ペンタプリズム１３２の内部で１本の光線１９２として進行する。そして、最終的に色滲みがほとんど解消された状態で、光線１９２は観察者の目まで到達する。
【００６２】
また、ＬＣＤ１０８ａの表示領域１０８ｅを発した光線１９４（図３参照）は、導光プリズム１８１を経てペンタプリズム１３２の底面からペンタプリズム１３２に入射し、物体光と同じようにペンタプリズム１３２内を反射して面１３２ｂから射出する。
【００６３】
図８はファインダ視野内の表示を示す図である。ファインダ視野内の表示は、第１表示領域１９１、第２表示領域１９０ｄ、第３表示領域１９０ｅおよび測距点位置情報１９７から構成される。第１表示領域１９１は、視野マスク１７９の開口によって規定された物体の光学像を示す。第２表示領域１９０ｄは、第１表示領域１９１の上方にあって、ＬＣＤ１０８ａのＬＣＤ表示領域１０８ｄに基づく画像による情報表示を行う。第３表示領域１９０ｅは、第１表示領域１９１の下方にあって、ＬＣＤ１０８ａのＬＣＤ表示領域１０８ｅに基づく文字列やアイコンによる情報表示を行う。測距点位置情報１９７は、第１表示領域１９１の内部にあって、有機ＥＬ表示素子１８５によって示される。この際、第２表示領域１９０ｄ、第３表示領域１９０ｅおよび測距点位置情報１９７の表示輝度は、いずれも測光センサ１５６および測光レンズ１５５からなる測光装置の出力に基づき、視認するに適切な値に制御される。
【００６４】
図８の第２表示領域１９０ｄに表示される電子画像は、情報表示の１つとして、前回撮影された画像である。この電子画像によれば、光学ローパスフィルタ上に付着した異物が写り込んでしまったことによって、黒点１９５が存在したことが視認できる。しかしながら、このように表示される黒点は相対的には小さく見落とす可能性がある。そこで本実施形態においては、この異物表示について後述のような重畳表示を行うものとする。
【００６５】
また、撮像素子防振機構１７１が作動したことによって、被写体の上方が欠けた意図しない構図の物体像になってしまっていることが判る。さらには、適切なホワイトバランスが設定されていること、画像がブレていないこと、ピントが物体に合っていることなどが判る。
【００６６】
さらに、画像の属性に対応した所定のマークを画像と同時に表示することによって、その画像に付加された情報を表すことができる。例えば、図８に示したダイヤ形のマーク１９６は、改ざん検知用データ処理回路１６６によって、前回撮影した画像に対し、適切に改ざん検知用データが付加されたことを表している。また、他のカメラで撮影された画像を表示した場合には、改ざん検知判定結果を他のマークで示してもよい。
【００６７】
なお、本実施形態では、液晶表示器１０８を用いたが、この代わりに有機ＥＬ表示器を用いてもよい。この場合、バックライト１０８ｂは不要となる。
【００６８】
上記構成を有するデジタル一眼レフカメラにおいて、ＣＰＵ１４１の動作シーケンスを示す。図９はデジタル一眼レフカメラでスイッチ入力部１４２のレリーズ釦を半押し操作（第１レリーズオン操作）した後に実行される撮像動作手順を示すフローチャートである。このフローチャートは、ＣＰＵ１４１のメインフローチャート内にてコールされるサブルーチンである。なお、ＣＰＵ１４１のメインフローチャートは従来公知の技術であるので、ここでの説明を省略する。
【００６９】
まず、ＣＰＵ１４１は、測光レンズ１５５を介して測光センサ１５６を駆動し、測光を行い、測光センサ１５６からの出力を用いて物体の輝度を測定する（ステップＳ１）。ＣＰＵ１４１は、その輝度情報から露光量（絞り機構１２２の絞り込み量、シャッタ１２６のシャッタスピードおよび撮像素子感度）を所定の演算ブログラムに従って演算する。
【００７０】
ＣＰＵ１４１は、フラッシュメモリ１５０から前回書き込んだ画像データ（デジタル画像信号）を読み出し、ファインダ装置１３０の第２表示領域１９０ｄにその電子画像が表示されるように指示する制御信号を、信号処理回路１４５に送出する（ステップＳ２）。信号処理回路１４５は、この制御信号を受けると、上記デジタル画像信号を一時的にＳＤＲＡＭ１４８に格納するとともに、この画像データをコンポジット信号に変換する処理を行う。信号処理回路１４５は、このコンポジット信号を液晶表示器１０８に供給し、ＬＣＤ１０８ａに撮像された電子画像を表示させる。この結果、ファインダ装置１３０の第２表示領域１９０ｄには、前回撮像された電子画像が表示される。なお、既に電子画像が表示されている場合、信号処理回路１４５は、そのまま表示を継続させる。
【００７１】
ＣＰＵ１４１は、バックライト１０８ｂを構成する白色ＬＥＤへの電流供給量を変更することで、バックライト１０８ｂの光量を調整する。ＣＰＵ１４１は、撮像前に測光した物体輝度（輝度情報）に基づき、ＬＣＤ１０８ａに表示された電子物体像を視認するに適切な光量で照明する。
【００７２】
次にステップＳ３では、ＣＰＵ１４１は、異物検出部で取得した異物情報を読み出し、第２表示領域１９０ｄにステップＳ２の電子画像に重畳表示すべく、制御信号を信号処理回路１４５に送出する。信号処理回路１４５は、この制御信号を受けると、上記異物情報を液晶表示器１０８に供給し、電子画像に重畳表示させる。この結果、ファインダ装置１３０の第２表示領域１９０ｄには、異物情報が電子画像として表示される。このステップＳ３の詳細については、後述する。
【００７３】
ＣＰＵ１４１は、ＡＦセンサ駆動回路１３７を介してＡＦセンサ１２９を駆動し、撮像レンズ１２０のデフォーカス量（測距値）を測定する（ステップＳ４）。さらに、ＣＰＵ１４１は、この測距値に基づき、レンズ群１２１、１６７、１２３の合焦動作を行う。
【００７４】
この後、ＣＰＵ１４１は、カメラ操作者によってレリーズ釦が深押しされているか否か、つまりスイッチ入力部１４２に接続された第２レリーズスイッチがオンになっているか否かを判別する（ステップＳ５）。
【００７５】
第２レリーズスイッチがオンになっていない場合、ＣＰＵ１４１は、カメラ操作者によってレリーズ釦が半押しされているか否か、つまり第１レリーズスイッチがオンになっているか否かを判別する（ステップＳ１６）。第１レリーズスイッチがオンになっている場合、ＣＰＵ１４１は、レリーズ釦が半押しされている状態であると判断し、ステップＳ１の処理に戻る。一方、第１レリーズスイッチがオンになっていない場合、カメラ操作者がレリーズ釦から指を離したと考えられるので、ＣＰＵ１４１は、そのままメインフローチャートで示されるメインルーチンに復帰する。
【００７６】
一方、ステップＳ４で第２レリーズスイッチがオンになっている場合、ＣＰＵ１４１は、レリーズ釦が深押しされていると判断し、ミラー駆動回路１３６を介して可動ミラー１２４を第１の位置から第２の位置である撮像光路外に退避させる（ステップＳ６）。ＣＰＵ１４１は、ステップＳ５でミラーアップを行った後、ステップＳ１で演算された絞り込み量に基づき、絞り駆動回路１３５を介して絞り機構１２２の絞り込み動作を行う（ステップＳ７）。
【００７７】
ＣＰＵ１４１は、撮像開始を指示する信号を信号処理回路１４５に送出する（ステップＳ８）。信号処理回路１４５は、この信号を受けると、撮像素子１２７の電荷蓄積動作を開始させる。ＣＰＵ１４１は、ステップＳ１で演算されたシャッタスピードに基づき、シャッタ１２６を開閉する（ステップＳ９）。
【００７８】
ＣＰＵ１４１は、シャッタ１２６を閉成した後、信号処理回路１４５に撮像停止を指示する信号を送出する（ステップＳ１０）。信号処理回路１４５は、この信号を受けると、撮像素子１２７での電荷蓄積動作を終了させる。さらに、信号処理回路１４５は、撮像素子１２７から画像信号を読み出してアナログデジタル（Ａ／Ｄ）変換を行い、デジタル画像信号に変換する処理、およびこれに付随する画像処理を実行する。
【００７９】
ＣＰＵ１４１は、上記デジタル画像信号の格納および表示を指示する制御信号を信号処理回路１４５に送出する（ステップＳ１１）。信号処理回路１４５は、この信号を受けると、上記デジタル画像信号を一時的にＳＤＲＡＭ１４８の連写データ蓄積領域に順番に格納するとともに、同データをコンポジット信号に変換する処理を行う。信号処理回路１４５は、このコンポジット信号を液晶表示器１０８に供給し、ＬＣＤ１０８ａに撮像された電子画像を表示する。この結果、ファインダ装置１３０の第２表示領域１９０ｄには、その電子画像が表示される。この際、ＣＰＵ１４１は、バックライト１０８ｂを構成する白色ＬＥＤへの電流供給量を変更することで、バックライト１０８ｂの光量を調整する。そして、ＣＰＵ１４１は、撮像前に測光した物体輝度に基づき、ＬＣＤ１０８ａに表示された電子物体像を視認するに適切な光量で照明する。
【００８０】
ＣＰＵ１４１は、絞り駆動回路１３５を介して絞り機構１２２を絞り込み状態から開放状態に戻す（ステップＳ１２）。ＣＰＵ１４１は、ミラー駆動回路１３６を介して可動ミラー１２４を第１の位置である撮像光路内に復帰させる（ステップＳ１３、ミラーダウン）。
【００８１】
ＣＰＵ１４１は、第２レリーズスイッチがオフであるか否かを判別する（ステップＳ１４）。第２レリーズスイッチがオフでない場合、ＣＰＵ１４１は、ステップＳ１の処理に戻り、第２レリーズスイッチがオフになるまでステップＳ１からステップＳ１２までの処理を繰り返す。つまり、この時点で第２レリーズスイッチがオフでない場合、連写は継続される。そして、ファインダ装置１３０には、直前に撮像された電子物体像が動画のように順次表示されることになる。
【００８２】
一方、ステップＳ１３で第２レリーズスイッチがオフである場合、カメラ操作者が連写を終了させようとしていると判断する。この場合、ＣＰＵ１４１は、ＳＤＲＡＭ１４８に一時的に記憶されている連写画像をフラッシュメモリ１５０の所定の記憶領域に記憶するように、信号処理回路１４５に指示する（ステップＳ１５）。この後、ＣＰＵ１４１は、メインルーチンに復帰する。
【００８３】
図１０はＣＰＵ１４１の動作シーケンスに基づくカメラ動作を示すタイミングチャートである。図では、レリーズ釦の半押し操作が行われた後、レリーズ釦の深押し操作によって３コマの撮影が行われ、その後、レリーズ釦の半押し操作が少しの間継続している状態が表されている。
【００８４】
まず、時刻Ｔ１において、第１レリーズスイッチがオフからオンに切り換わると、直ちに測光および露光量演算が行われる。この後、前回撮影された画像Ｓと異物情報Ｘがファインダ装置１３０の第２表示領域１９０ｄに表示される。
【００８５】
時刻Ｔ２において、第２レリーズスイッチがオフからオンに切り換わると、可動ミラー１２４がアップ位置に移動すると共に、撮影レンズ１２０の絞り１２２が絞り込まれる。
【００８６】
時刻Ｔ３において、画像Ａのための撮像素子１２７の電荷蓄積動作が開始され、その間にシャッタ１２６の開閉が行われる。シャッタ１２６が閉じられると、撮像素子１２７の電荷蓄積動作は停止し、画像Ａの画像信号の読み出しおよびＡ／Ｄ変換が開始される。また、絞り１２２の開放動作および可動ミラー１２４のダウン位置への移動動作が行われる。
【００８７】
画像Ａの画像信号の読み出しおよびＡ／Ｄ変換が終了すると、デジタル画像信号は一時的にＳＤＲＡＭ１４８の連写データ蓄積領域に順番に格納される。この画像データはコンポジット信号に変換処理され、このコンポジット信号は液晶表示器１０８に供給されると、ＬＣＤ１０８ａには撮像された画像Ａが表示され、ファインダ装置１３０内の第２表示領域１９０ｄで視認可能となる。なお、画像Ａへの電子画像表示更新指示が出るまで、ファインダ装置１３０の第２表示領域１９０ｄには、画像Ｓが時刻Ｔ１から継続して表示される。
【００８８】
時刻Ｔ４においても、レリーズ釦の深押し操作が継続し、第２レリーズスイッチがオンになっている場合、再び可動ミラー１２４がアップ位置に移動するとともに、撮影レンズ１２０の絞り１２２が絞り込まれる。
【００８９】
時刻Ｔ５において、画像Ｂを撮影するための撮像素子１２７の電荷蓄積動作が開始され、その間にシャッタ１２６の開閉が行われる。シャッタ１２６が閉じられると、撮像素子１２７の電荷蓄積動作は停止し、画像Ｂの画像信号の読み出しおよびＡ／Ｄ変換が開始される。また、絞り１２２の開放動作および可動ミラー１２４のダウン位置への移動動作が行われる。
【００９０】
画像Ｂの画像信号の読み出しおよびＡ／Ｄ変換が終了すると、デジタル画像信号は一時的にＳＤＲＡＭ１４８の連写データ蓄積領域に順番に格納される。この画像データはコンポジット信号に変換処理され、このコンポジット信号は液晶表示器１０８に供給されると、ＬＣＤ１０８ａには撮像された画像Ｂが表示され、ファインダ装置１３０内の第２表示領域１９０ｄで視認可能となる。なお、画像Ｂへの電子画像表示更新指示が出るまで、ファインダ装置１３０の第２表示領域１９０ｄには、画像Ａが表示される。
【００９１】
時刻Ｔ６においても、レリーズ釦の深押し操作が継続し、第２レリーズスイッチがオンになっている場合、時刻Ｔ４、Ｔ５と同様の動作が繰り返され、画像Ｃの撮像動作が行われる。なお、画像Ｃへの電子画像表示更新指示が出るまで、ファインダ装置１３０の第２表示領域１９０ｄには、画像Ｂが表示されている。
【００９２】
時刻Ｔ７において、レリーズ釦の深押し操作が終了し、第２レリーズスイッチがオフになると、連写が終了する。ただし、画像Ｃの画像信号の読み出しおよびＡ／Ｄ変換が行われ、画像Ｃへの表示更新動作は継続して行われる。
【００９３】
時刻Ｔ８において、レリーズ釦の半押し操作が終了し、第１レリーズスイッチがオフになった場合、ファインダ装置１３０の第２表示領域１９０ｄへの電子画像表示は停止する。
【００９４】
なお、上記動作シーケンスにおいて、画像信号の読み出し、Ａ／Ｄ変換、画像データのメモリ（ＳＤＲＡＭ１４８）への格納、絞り１２２の開放、および可動ミラー１２４の第１の位置（ダウン位置）への復帰は、次のコマの撮影準備動作である。この撮影準備動作に同期して第２表示領域１９０ｄに表示される電子画像の更新が行われる。
【００９５】
次に、光学ローパスフィルタ上に付着した異物の表示方法について説明する。
【００９６】
光学ローパスフィルタ上に付着した異物は光学ファインダを通して見ることができない。つまり、光学像としては観察できない。そのため、前記異物の被写体への写りこみを考慮して撮影しようとすると、例えば、ボディ背面の液晶表示で前記異物の情報を確認しなければならない。そのため、シャッタチャンスを逃してしまったり、異物を主要被写体に重ならないように正確に構図を決定できないといった課題が生じる。
【００９７】
本実施形態では、このような課題に対し、ファインダ装置１３０内の前記第２表示領域１９０ｄに、撮影画像とこれに重畳させて異物情報を表示するようにしている。これにより、ファインダ接眼窓１６８から目を離さずに、前記異物の情報を確認できるため、シャッタチャンスを逃すことなく、異物の影響が小さくなる構図を決めることができる。
【００９８】
そのための構成として、図１１に示されるように、撮像素子１２７の撮像画面内における異物の状態を検出するＣＰＵ１４１内に設けられた異物検出部１００１を有する。また、ＣＰＵ１４１のレンズ駆動目標値、あるいは、ズーム・ピント・防振駆動回路１３４や、不図示のレンズ瞳位置検出部より得られる被写体の撮影時に使用するレンズのレンズ情報を取得するレンズ情報取得部１００３を有する。
【００９９】
また、異物検出部１００１によって検出された異物の状態を、レンズ情報取得手段１００３により取得したレンズ情報に基づき、異物情報として第２表示領域１９０ｄに表示する異物情報表示部１００４を有する。
【０１００】
異物検出部１００１は、信号処理回路１４５、通信ライン１５３を通じて、撮像素子１２７によって得られる光電変換信号より異物の状態を検出する。そして、それを異物情報として記録するための異物情報記録部１００２（以下異物情報メモリとも呼ぶ）を含んでいる。前記異物情報記録部１００２に記録されるものとして、検出した異物の個数、位置、大きさ、さらに異物を検出した際に用いたレンズの情報として、レンズ絞り値とレンズ瞳位置がある。
【０１０１】
異物情報表示部１００４は、第２表示領域１９０ｄの表示状態を制御する制御部として第２表示領域表示制御部１００５と、光学像を表示する前記第１表示領域の表示状態を制御する第１表示領域表示制御手段１００６を有する。第１表示領域表示制御部１００６は、異物情報検出部１００１により検出された異物の状態に応じて、第１表示領域の表示状態を制御することが可能である。具体的な表示制御については後述する。同様に、第２表示領域表示制御部１００５は、異物情報検出部１００１により検出された異物の状態に応じて、第２表示領域の表示状態を制御することが可能である。
【０１０２】
次に、異物の検出について詳細を述べる。
【０１０３】
図１２は、本実施形態に係るデジタルカメラにおける異物検出処理（異物によって画像不良が生じている画素位置の検出処理）を説明するフローチャートである。当該処理は、ＣＰＵ１４１が異物検出処理プログラムを実行することにより実施される。
【０１０４】
この異物検出処理は、画像に写りこんだ、撮像素子１２７の前方に配置された光学ローパスフィルタの表面に付着した異物の影の位置、大きさ等を検出する処理である。
【０１０５】
異物検出処理は、異物検出用画像を撮像することにより行われる。異物検出処理を行う場合、面光源装置の出射面や白い壁などの均一輝度パターンを持つ面に撮影レンズ１２０の撮影光１２０ａを向けてカメラを設置し、異物検出の準備を行う。または、レンズマウント１２０ｂに異物検出用のライトユニット（レンズの代わりに装着する小型の点光源装置）を装着し、異物検出の準備を行う。ライトユニットの光源は例えば白色ＬＥＤが考えられ、発光面のサイズを予め定めた絞り値（例えば、本実施形態ではＦ６４）相当になるように調整するのが望ましい。
【０１０６】
本実施形態では、通常の撮影光学系を用いる場合について説明するが、上記のライトユニットをレンズマウント１２０ｂに取り付けて異物検出を行っても良い。このように、本実施形態において異物検出用画像は、均一な色を有する画像である。
【０１０７】
準備が終了した後、例えばカメラ背面部のスイッチボタン（不図示）から異物検出処理の開始が指示されると、ＣＰＵ１４１は、まず絞りの設定を行う。撮像素子近傍（撮像素子前方）の異物はレンズの絞り値によって結像状態が変わり、レンズの瞳位置によって位置が変化する。したがって、異物情報メモリ１００２には異物の位置や大きさに加え、検出時の絞り値とレンズの瞳位置を記録する。なお、異物の状態を検出する段階において、使用するレンズを複数許したり、絞り込む絞り値を適宜変更する場合には、検出時の絞り値とレンズの瞳位置を、異物情報メモリ１００２に記録する必要があると言える。ここで瞳位置とは、射出瞳の撮像面（焦点面）からの距離をいう。
【０１０８】
以下、フローチャートについて具体的に説明する。
【０１０９】
まず、異物検出処理が開始されると、撮影レンズ１２０の絞り値が指定される。ここでは、例えばＦ１６を指定する（ステップＳ２１）。
【０１１０】
次にＣＰＵ１４１は絞り駆動回路１３５に対し、撮影レンズ１２０の絞り羽根制御を行わせ、ステップＳ２１で指定された絞り値に絞りを設定する（ステップＳ２２）。さらに、フォーカス位置を無限遠に設定する（ステップＳ２３）。
【０１１１】
撮影レンズ１２０の絞り値とフォーカス位置が設定されると、異物検出モードでの撮影を実行する（ステップＳ２４）。ステップＳ２４で行う均一輝度撮影ルーチンの詳細に関しては図１７を用いて後に説明する。撮影された画像データは、異物検出用画像データとしてＳＤＲＡＭ１４８に格納される。
【０１１２】
撮影が終了すると、異物検出手段１００１は、レンズ情報取得手段１００３により、撮影時の絞り値とレンズ瞳位置を取得する（ステップＳ２５）。
【０１１３】
次に、異物検出部１００１は通信ライン１５３を介して、信号処理回路１４５によって読み出されたＳＤＲＡＭ１４８に記憶されている異物検出用画像データの各画素に対応するデータを取得する（ステップＳ２６）。
【０１１４】
異物検出手段１００１は、図１６に示す処理を行い、異物が存在する画素の位置と大きさを取得する（ステップＳ２７）。
【０１１５】
そして、ステップＳ２７で取得した異物が存在する画素の位置と大きさ、およびステップＳ２５で取得した絞り値とレンズ瞳位置情報を、異物情報メモリ１００２に記録する（ステップＳ２８）。ここで、前述したライトユニットを用いた場合には、レンズ情報を取得できない。そこで、レンズ情報が取得できない場合は、ライトユニットを使ったと判断し、予め定められたレンズ瞳位置情報と、ライトユニットの光源径から算出される換算絞り値を記録する。
【０１１６】
ここで、ステップＳ２８において、予め画素欠陥位置メモリに記録されている製造時からの不良画素（画素欠陥）の位置と、読み出した画素データの位置を比べて画素欠陥であるかどうかを確認する。そして、画素欠陥によるものでは無いと判断された領域のみ、異物情報メモリ１００２に位置を記録しても良い。
【０１１７】
異物情報メモリ１００２に記録される異物情報のデータ形式例を図１３に示す。図１３に示した通り、異物情報メモリ１００２には、異物検出用画像データ撮影時の、レンズ情報と異物の数、位置、大きさの情報が記録される。さらには、後述するように、異物の形状を記録してもよい。
【０１１８】
具体的には、異物検出用画像データ撮影時のレンズ情報として、異物検出用画像データ撮影時における実際の絞り値（Ｆ値）と、そのときのレンズ瞳位置を格納する。続いて記憶領域に検出した異物領域の数（整数値）を格納し、これに続き、個々の具体的な異物領域のパラメータを、異物領域の数だけ繰り返して格納する。異物領域のパラメータは、異物の半径（例えば２バイト）、有効画像領域における中心のｘ座標（例えば２バイト）、おなじく中心のｙ座標（例えば２バイト）の３つの数値のセットである。
【０１１９】
異物情報メモリ１００２の大きさ等により異物情報のデータサイズに制限がある場合、ステップＳ２７で得た異物領域の先頭から優先してデータを格納する。これは、ステップＳ２７の異物領域取得ルーチン内では、後述するように異物領域を、目立つ異物の順にソートするからである。
【０１２０】
次に、図１４、図１５、図１６を用いて、ステップＳ２７で行う異物領域取得ルーチンの詳細について説明する。
【０１２１】
図１４に示すように、呼び出した異物検出用画像データをメモリ上に展開し、予め定められたブロック単位で処理を行う。これは、レンズやセンサ特性に起因する周辺減光に対応するためである。周辺減光とは、レンズの中央部に比べ周辺部の輝度が落ちてしまう現象であり、レンズの絞りを小さくすることである程度軽減されることが知られている。しかし、絞りを絞った状態でも、撮影画像に対して予め定められたスレッショルド値で異物位置の判定を行うと、レンズによっては周辺部の異物が正確に検出できなくなるという問題がある。そこで、画像をブロック分割して周辺減光の影響を軽減する。
【０１２２】
単純にブロック分割すると、ブロックとブロックの間でスレッショルド値が異なる場合、ブロック間をまたぐ異物の検出結果がずれてしまうという問題がある。そこで、ブロック間をオーバーラップさせ、オーバーラップ領域を構成するブロックのいずれかで異物と判定された画素を異物領域として扱う。
【０１２３】
ブロック内の異物領域判定は、図１６に示す処理の流れで行う。まず、ブロック内の最大輝度Ｌｍａｘ、平均輝度Ｌａｖｅを算出し、次式を用いてブロック内のスレッショルド値Ｔ１を算出する。
【０１２４】
Ｔ１＝Ｌａｖｅ×０．６＋Ｌｍａｘ×０．４
次に、スレッショルド値を超えない画素を異物画素とし（ステップＳ６１）、異物画素によって構成される孤立領域を各々一つの異物領域ｄｉ（ｉ＝０，１，…，ｎ）とする（ステップＳ６２）。図１５に示すように、異物領域毎に異物領域を構成する画素の水平方向の座標の最大値Ｘｍａｘおよび最小値Ｘｍｉｎ、垂直方向の座標の最大値Ｙｍａｘおよび最小値Ｙｍｉｎを求め、異物領域ｄｉのサイズを表す半径ｒｉを次式によって算出する（ステップＳ６３）。
【０１２５】
ｒｉ＝√［｛（Ｘｍａｘ−Ｘｍｉｎ）／２｝２＋｛（Ｙｍａｘ−Ｙｍｉｎ）／２｝２］
Ｘｍａｘ、Ｘｍｉｎ、Ｙｍａｘ、Ｙｍｉｎとｒｉの関係を、図１５に示す。
【０１２６】
その後ステップＳ６４で、異物領域毎の平均輝度値を算出する。
【０１２７】
異物情報メモリ１００２のサイズによる制限などにより、異物情報のデータサイズが制限されている場合がある。このような場合に対応するために、異物位置情報を、大きさや異物領域の平均輝度値によってソートする（ステップＳ６５）。本実施形態では、ｒｉの大きい順にソートする。ｒｉが等しい場合、平均輝度値の低い順にソートする。このようにすることで、目立つ異物を優先して異物情報として記録することが出来る。なお、ソート済みの異物領域をＤｉ、異物領域Ｄｉの半径をＲｉとする。
【０１２８】
なお、予め定められたサイズより大きい異物領域がある場合、ソートの対象から外し、ソート済み異物領域リストの末尾に配置しても良い。大きい異物領域については、後に補間処理をするとかえって画質を低下させる場合があり、補正対象の優先順位としては最下位として扱うことが望ましいからである。
【０１２９】
次に、図１７に示すフローチャートを用いて、図１２のステップＳ２４で行われる均一輝度撮影ルーチンの詳細について説明する。この均一輝度撮影ルーチンは、異物検出部１００１が均一輝度撮影プログラムを実行することにより実施される。
【０１３０】
この均一輝度撮影ルーチンが実行されると、ステップＳ２０１でＣＰＵ１４１は、図１に示すクイックリターンミラー１２４を作動させ、いわゆるミラーアップを行い、撮影光路外にクイックリターンミラー１２４を退避させる。
【０１３１】
次に、ステップＳ２０２で撮像素子１２７での電荷蓄積を開始させ、次のステップＳ２０３ではシャッタ１２６の先幕、後幕（不図示）それぞれ走行させて露光を行う。そして、ステップＳ２０４で撮像素子の電荷蓄積を終了し、次のステップＳ２０５で、画像処理回路１４５は撮像素子１２７から画像データを読み出し、Ａ／Ｄ変換を行い、ＳＤＲＡＭ１４８に一次記憶する。
【０１３２】
次のステップＳ２０６で撮像素子１２７から全ての画像データの読み出しが終了すると、ステップＳ２０７でクイックリターンミラー１２４をミラーダウンさせ、クイックリターンミラーを斜設位置に戻して一連の撮像動作を終了する。
【０１３３】
次に、図１８に示すフローチャートを用いて、通常の被写体を撮影するモードである通常撮影ルーチンの詳細について説明する。均一輝度撮影モード以外の撮影は、この通常撮影ルーチンに対応する。当該処理は異物検出部１００１が通常撮影プログラムを実行することにより実施される。
【０１３４】
この通常撮影ルーチンが実行されると、ステップＳ４０１でＣＰＵ１４１は、図１に示すクイックリターンミラー１２４を作動させ、いわゆるミラーアップを行い、撮影光路外にクイックリターンミラー１２４を退避させる。
【０１３５】
次に、ステップＳ４０２で撮像素子１２７での電荷蓄積を開始させ、次のステップＳ４０３ではシャッタ１２６の先幕、後幕（不図示）をそれぞれ走行させて露光を行う。そして、ステップＳ４０４で撮像素子１２７の電荷蓄積を終了し、次のステップＳ４０５で、信号処理回路１４５は撮像素子１２７から画像データを読み出し、Ａ／Ｄ変換を行い、ＳＤＲＡＭ１４８に一次記憶する。
【０１３６】
次のステップＳ４０６で撮像素子１２７から全ての画像データの読み出しが終了すると、ステップＳ４０７でクイックリターンミラー１２４をミラーダウンさせ、クイックリターンミラーを斜設位置に戻して一連の撮像動作を終了する。
【０１３７】
ステップＳ３００では、ステップＳ４０６で読み出した画像データに基づいて、異物情報の更新を行う。既に異物位置メモリ１００２に記憶されている異物情報から異物領域を知ることができるので、ステップＳ４０６で読み出した画像データの異物領域に異物の影が写っているかを確認する。異物の影が写っていない場合には、その異物は既になくなったと判定し、その異物情報を削除する。
【０１３８】
例えば、ステップＳ４０６で読み出した画像データが、図１９に示すような画像であった場合を例に挙げて説明する。異物情報から得られたｉ番目の異物領域１１００が、図１９の画像の空の部分であったとする。空は明るいうえに、ほぼ均一な画像であるため、異物が実際に存在するならば、はっきりと異物の影が映り込むはずである。それにもかかわらず、ｉ番目の異物領域１１００に異物の影が存在しない場合には、その異物は移動したか、もしくは取れてしまった可能性が高いため、ｉ番目の異物情報を異物情報メモリ１００２から削除し、異物情報を更新する。
【０１３９】
このように、通常撮影で得られた画像データに基づいて、異物情報を更新することで、異物情報の信頼度を上げることが可能となる。特に、撮影レンズ１２０と撮像素子１２７の間に介在する異物を除去する防塵機構１６９を有する本実施形態の撮像装置では、均一輝度画像取得後に異物が移動したり、落ちてしまったりする可能性が高い。そのため、本実施形態のように、通常の撮影画像に基づいて異物情報を更新することは有効である。また、本実施形態の撮像装置では、撮像装置内で自動的に異物情報の更新が行なわれるので、ユーザが不要な異物情報を指定する必要がなく、ユーザが面倒な作業を強いられることがない。
【０１４０】
なお、このステップＳ３００の異物情報更新ルーチンについては、後にさらに詳しく説明する。
【０１４１】
ステップＳ４０８では、撮影時のカメラ設定値等と共に図１３に示した異物情報（ステップＳ３００で更新済みのデータ）を画像データに関連付けてフラッシュメモリ１５０に記録する。
【０１４２】
具体的には、例えば、撮影時のカメラ設定値等が記録される画像ファイルのヘッダ領域であるＥｘｉｆ領域に異物情報を追記することで、関連付けを実現することができる。または、異物情報をファイルとして独立して記録し、画像データにはその異物情報ファイルへのリンク情報のみを記録することで関連付けを実現することも可能である。ただし、画像ファイルと異物情報ファイルを別々に記録すると、画像ファイルの移動時に、リンク関係が消失する場合があるので、異物情報は画像データと一体的に保持することが望ましい。
【０１４３】
次に、図２０を用いて、図１８のステップＳ３００で実行される異物情報更新ルーチンについて説明する。
【０１４４】
図１８のステップＳ３００の異物情報更新ルーチンが実行されると、まずステップＳ３０１において、異物情報の取得が行われる。既に異物位置メモリ１００２に記憶されている異物情報を抽出する。
【０１４５】
次に、ステップＳ３０１で抽出した異物情報から座標列Ｄｉ（ｉ＝１，２，…ｎ）、半径列Ｒｉ（ｉ＝１，２，…，ｎ）、絞り値ｆ１とレンズ瞳位置Ｌ１を得る（ステップＳ３０２）。ここでＲｉは、図１６のステップＳ６５で算出した座標Ｄｉの異物の大きさである。
【０１４６】
ステップＳ３０３では、通常撮影された画像の撮影時の絞り値ｆ２とレンズ瞳位置Ｌ２を取得し、ステップＳ３０４でＤｉを次式で変換する。ここで、ｄは画像中心から座標Ｄｉまでの距離、Ｈは撮像素子１２７の表面と異物との距離であるとする。変換後の座標Ｄｉ'と変換後の半径Ｒｉ'は例えば次式で定義する。
【０１４７】
Ｄｉ'（ｘ，ｙ）＝（Ｌ２×（Ｌ１−Ｈ）×ｄ／（（Ｌ２−Ｈ）×Ｌ１））×Ｄｉ（ｘ，ｙ）
Ｒｉ'＝（Ｒｉ×ｆ１／ｆ２＋３）              …（１）
ここでの単位はピクセルであり、Ｒｉ'についての「＋３」はマージン量である。
【０１４８】
ステップＳ３０５では、画像データの内の、ステップＳ３０４で変換した異物座標Ｄｉ（ｘ、ｙ）と半径Ｒｉ'の範囲の出力を読み出す。
【０１４９】
そしてステップＳ３０６では、ステップＳ３０５で読み出した領域に、異物の影が存在するか否かを判定する。異物の影の有無は、下記条件を全て満たす場合を異物の影無しとし、一つでも満たさない場合には異物の影有りとすることで判定を行なう。
（１）図２０のステップＳ３０４で算出した中心座標Ｄｉ'、半径Ｒｉ'（式（１）で求められたＤｉ'，Ｒｉ'）に含まれる画素の平均輝度Ｙａｖｅが、或る閾値Ｙ０より大きい。
【０１５０】
Ｙａｖｅ＞Ｙ０
（２）中心座標Ｄｉ'、半径Ｒｉ'（式（１）で求められたＤｉ'，Ｒｉ'）に含まれる画素の輝度Ｙが、全て下記範囲に収まる。
【０１５１】
Ｋ１×Ｙａｖｅ＜Ｙ＜Ｋ２×Ｙａｖｅ    ここで、Ｋ１、Ｋ２は比例定数
（３）図２０のステップＳ３０４で算出した中心座標Ｄｉ'、半径Ｒｉ'（式（１）で求められたＤｉ'，Ｒｉ'）に含まれる画素の平均輝度Ｙａｖｅと最高輝度Ｙｍａｘを用いて、次式で求められるスレッショルド値Ｔ３より暗い領域が存在しない。
【０１５２】
Ｔ３＝Ｙａｖｅ×０．６＋Ｙｍａｘ×０．４
（１）で平均輝度Ｙａｖｅが閾値Ｙ０より大きいかどうかを調べ、（２）で輝度Ｙがある範囲内に収まっているかを調べることで、中心座標Ｄｉ'、半径Ｒｉ'で定められる領域が、均一画像領域であるかどうか調べている。さらに（３）で異物の影がないかどうか確認することで、中心座標Ｄｉ'、半径Ｒｉ'で定められる領域に異物の影が存在するかどうかの判定を行う。
【０１５３】
（１）において、平均輝度Ｙａｖｅが閾値Ｙ０より大きいかどうかを調べることで、次のような効果が得られる。即ち、中心座標Ｄｉ'、半径Ｒｉ'で定められる領域に光が到達しないために、異物が存在するにもかかわらず異物の影が映りこまず、異物が取れてしまったと判定してしまうことを防止することができる。
【０１５４】
また、（２）において、輝度Ｙがある範囲内に収まっているかを調べることで、中心座標Ｄｉ'、半径Ｒｉ'で定められる領域が、細かいパターンがなく、異物の影の有無の判定を確実に行なえるような模様であるかどうかを判定している。例えばＫ１＝０．８、Ｋ２＝１．２とすれば、平均輝度Ｙａｖｅを基準として±２０％の範囲に収まっているかどうかを判定することになる。これにより、誤った異物有無の判定を行うことを防止することができる。
【０１５５】
（３）において、スレッショルド値Ｔ３より暗い領域があるかどうかを再度確認することで、異物の影が本当になくなってしまったのかどうかの最終確認を行なっている。
【０１５６】
（１）〜（３）の複数の判定式のＡＮＤ条件で絞り込むことで、異物が付いたままにもかかわらず、その位置の異物情報を誤って削除してしまう危険を軽減している。
【０１５７】
ステップＳ３０５で読み出したｉ番目の異物領域に異物の影がない場合には、信頼度パラメータＲｉをインクリメントする（ステップＳ３０７）。信頼度Ｒｉは、ｉ番目の異物領域の信頼度を示すパラメータであり、初期値は「０」とし、異物有無判定で異物がないと判定されるたびに１ずつインクリメントされていく。均一輝度画像を取得した際には、信頼度Ｒｉは全て初期値「０」にリセットする。つまり、この値が小さければ小さいほど、信頼性の高いデータと言える。
【０１５８】
次に、信頼度Ｒｉが或る閾値Ｒ０より大きいか否かを判定する（ステップＳ３０８）。閾値Ｒ０より大きい場合には、異物がその領域から移動したか、異物が取れてしまった可能性が高いと判断し、ｉ番目の異物領域の異物情報を削除する。
【０１５９】
このように、明らかに異物が存在しないことがわかった異物領域については、異物情報メモリ１００２から削除することで、異物情報の信頼度を上げることができる。これにより、以降の撮影時に異物情報表示させた場合、取れてしまった異物について不要な異物情報の表示を行うことを防止でき、異物情報表示の信頼度を上げることができる。
【０１６０】
ステップＳ３０６で異物の影が存在すると判定されるか、ステップＳ３０８で信頼度Ｒｉが閾値Ｒ０より小さいか、もしくはステップＳ３０９でｉ番目の異物領域データが削除された後には、ｉ番目が最終のｎ番目であるかどうかを判定する（ステップＳ３１０）。そして、まだ最終でない場合には、ｉを一つインクリメントして、次の異物領域の判定に移行する。最終番目の場合には、異物情報更新ルーチンを終了する。
【０１６１】
なお、上記の説明では、異物情報の更新を撮影した１枚の画像情報に基づいて行うように説明したが、複数枚の画像情報に基づいて異物位置の変化を検出し、異物情報の更新をするようにすれば、より精度を向上させることが可能となる。
【０１６２】
本実施形態においては、通常撮影を行うたびにステップＳ３００の異物情報更新を実行する。これにより、異物情報メモリ１００２に記憶されている異物領域に本当に異物が存在しているか否かを確認している。これにより異物情報の信頼度を上げ、誤った異物情報表示される危険を軽減している。
【０１６３】
このようにして検出した異物の位置や状態を、電子画像による情報表示として第２表示領域１９０ｄに表示する。図２１は、光学像として第１表示領域１９１で観察される像と、異物情報を重畳表示させた電子画像との関係を示す図である。
【０１６４】
６０２は検出され、変換された異物の位置情報をもとに、撮影画像の対応する位置に異物が存在する旨が視認されるように、強調表示された異物表示である。このように異物の情報をグラフィック情報に変換して、撮影画像に重畳し、視認しやすいように表現されている。従って，実際の画像に写り込んでいる異物の影としての黒点よりは見やすい。なお、強調表示は、異物検出時に取得したそれぞれの異物の大きさ情報に基づいて、相対的な大きさを変化させるように行っても良い。
【０１６５】
６０２ａは第１表示領域で観察される光学像の、異物位置に対応する箇所であるが、図示するように、この領域では異物は観察されない。
【０１６６】
次に、図２２を用いて、異物情報の表示方法の詳細について述べる。図２２は、図９におけるステップＳ３の異物情報表示の詳細である。
【０１６７】
まず、ステップＳ５０１は、異物表示モードになっているかを判断する。
【０１６８】
異物表示モードになっていれば、ステップＳ５０２進み、異物情報メモリ１００２から異物情報を取得する。異物表示モードでないならば、リターンする。
【０１６９】
ステップＳ５０２おいて、異物情報メモリ１００２から異物情報を取得完了後、ステップＳ５０３進み、撮影レンズ情報として、撮影レンズ絞り値ｆ２、および、撮影レンズ瞳位置Ｌ２を取得する。
【０１７０】
ステップＳ５０４は、上述のステップＳ３０４と同様の変換を行う。
【０１７１】
そして、ステップＳ５０５では式（１）で演算される半径Ｒｉ'に一定倍率５０を乗じたＲｉ''で表される円形状の異物像６０２を、所定のコントラストにて重畳表示する。このように一定の倍率を乗じることで視認性を確保している。
【０１７２】
また、視認性を高めるために更に、実際の異物写りこみに対応するコントラストよりも高めのコントラストに設定した上で表示させるようにしても良い。
【０１７３】
また、一定倍率を５０としたが、異物の状況に応じて最適値に設定するようにしても良い。また、ここでは異物表示６０２を円形を採用して表示しているが、異物の形状がわかっているのであれば、その形状を拡大表示させてもよく、更には認識しやすいよう目立つ色で表示させても良い。
【０１７４】
もし、異物が多く存在する場合、すべての異物像を表示させると、個々の異物表示が接近し合うので、見にくいものになってしまう。このため、全異物のうち、ある一定以上の大きさを持つものだけ、あるいは、異物が大きいものから順に一定数表示させるようにしても良い。異物情報メモリ１００２には、異物検出時に異物半径Ｒｉの大きい順にソートした状態で記録されている。よって、異物情報メモリ１００２より一定数、あるいは、半径Ｒｉが一定値になるまで取得し、取得した分だけ異物表示６０２を行うように構成することもできる。
【０１７５】
次に、ステップＳ５０６に進み、撮影レンズの絞り値、撮影レンズ瞳位置が変化したかどうかを判断する。これは、ユーザが絞り値や撮影レンズ瞳位置を変化させた場合、異物像の写り込み度合いが変化する。これに対応して、異物表示６０２も変化させるためである。上記撮影レンズ情報の絞り値、または、撮影レンズ瞳位置の変化がなければ、リターンする。
【０１７６】
ステップＳ５０６において、撮影レンズ情報に変化があれば、ステップＳ５０３に戻り撮影レンズ情報を再び取得する。
【０１７７】
ここで、異物情報を重畳する背景の画像については、前回撮影した撮影画像を表示させているが、これに限定されるわけではない。例えば、可動ミラー１２４をハーフミラーで構成し、ファインダ装置１３０で光学像として被写体像を観察しつつ、撮像素子で得られる被写体象を第２表示領域１９０ｄで逐次表示されるように構成すれば、同じ被写体像に異物情報を重畳させることができる。また、一時的に撮影画像を表示せずブラック表示した上に異物情報のみを表示すれば、異物情報の存在のみを瞬時に確認しやすくなる。
【０１７８】
以上、本実施形態によれば、ファインダから目を離すことなく物体の光学像の観察を可能としたままで、電子画像を以って光学ローパスフィルタ上に付着した異物の写り込みを確認しながら撮影可能とした。従って、ファインダを覗きながら主要な被写体へ異物が写りこまないような構図を決定できるため、シャッタチャンスを逃すことのない撮影ができる。
【０１７９】
［第２の実施形態］
第２の実施形態におけるカメラの構成は、上述の第１の実施形態と同一であるので、その説明を省略する。第２の実施形態では、異物情報表示モードにした際に、異物の詳細な情報を文字表示させる点が第１の実施形態と異なる。
【０１８０】
図２３は、光学像として第１表示領域１９１で観察される像と、異物情報を重畳表示させた電子画像との関係を示す図である。ここでは図示するように、異物の表示に加えて、異物の大きさと写り込みに影響を与えると予想される絞り値とを、文字表示６０２ｂとして表示する。
【０１８１】
写りこみに影響を与える絞り値とは、撮影画像において写り込んだ異物像が所定のコントラスト値を超えるときの絞り値であり、予め異物の大きさに応じてそれぞれ設定されているものである。
【０１８２】
また、ここでは撮影画像の輝度を下げて表示している。背景輝度を通常と同一レベルで表示させると、異物情報表示と重なり異物情報が認識しにくいからである。
【０１８３】
以上、本実施形態によれば、異物情報を詳細に把握することができるため、構図変更の参考情報として、異物の写り込みに柔軟に対処しながら撮影ができる。
【０１８４】
［第３の実施形態］
第３の実施形態におけるカメラの構成は、上述の第１の実施形態と同一であるので、その説明を省略する。第３の実施形態では、異物情報表示モードにした際に、異物の状態に応じて表示を変化させる点が第１の実施形態と異なる。
【０１８５】
図２４は、光学像として第１表示領域１９１で観察される像と、異物情報を重畳表示させた電子画像との関係を示す図である。ここでは図示するように、異物の状態により、異物の表示色を変化、あるいは、点滅表示させている。具体的には、異物の写り込み度合いが一定レベルより大きくなった異物６０２ｄ、６０２ｅを赤色、それ以外の異物６０２ｃを黒色で表示する。さらに、撮影レンズの絞りを一段開放値に近づけても、写りこみ度合いが一定レベルより大きいままである異物６０２ｅについては点滅表示している。つまり、現在設定されている撮影条件に応じて表示状態を変更している。
【０１８６】
ここで、写り込み度合いが一定レベルより大きくなるとは、実際に撮影した場合に、異物の影が所定のコントラストを超えることを指す。コントラストは主に使用中の撮影レンズの絞り値と異物の大きさにより決定されるため、予め写り込み度合いが大きくなる絞り値と異物の大きさの組み合わせを設定しておく。これに基づいて、全異物情報について写りこみ度合いを判断し表示制御を実行する。
【０１８７】
赤色表示させた異物像６０２ｄ、６０２ｅにおいて、点滅表示をさせたもの６０２ｅとさせないもの６０２ｄを区別させたのは、絞りを一段分開放値に近づけても移り込みに影響する異物像６０２ｅと、影響しない異物像６０２ｄの判別を可能にするためである。
【０１８８】
表示色を赤色、黒色としたが、特に限定するものではない。異物の写りこみ度合いを細かく判別できるように、グラデーション表示を利用してもよい。さらに、同様の理由で、点滅周期を写りこみ度合いに応じて、数パターンに分けて表示させてもよい。
【０１８９】
また、異物像の表示を変化させるだけでなく、異物情報に関する文字情報を重畳表示させる場合、この文字情報についても同様に異物の状態に応じて変化させてもよい。
【０１９０】
以上、本実施形態によれば、異物の状態により異物像の表示が変化するため、ユーザが容易に異物の写り込みについて把握することができる。従って、撮影時に適宜撮影パラメータを変更するなど、異物の写り込みに対してより注意を払うことができる。
【０１９１】
［第４の実施形態］
第４の実施形態におけるカメラの構成は、上述の第１の実施形態と同一であるので、その説明を省略する。第４の実施形態では、異物情報詳細表示モードにした際に、一定以上の大きさをもつ異物の数が一定数を超えると、重畳させる電子画像の表示、および、異物像の表示を変化させる点が第１の実施形態と異なる。
【０１９２】
図２５は、光学像として第１表示領域１９１で観察される像と、異物情報を重畳表示させた電子画像との関係を示す図である。ここでは図示するように、一定以上の大きさをもつ異物の数が一定数を超えたときに、異物像の背景となる撮影画像の表示をブラックアウトして表示する。そして、異物像６０２ｆは白色表示により点滅表示する。これにより、ユーザに対して、撮影画像に多くの異物が写り込んでしまうという注意を促すことができる。
【０１９３】
以上、本実施形態によれば、一定以上の大きさの異物の数が一定数を超えると、異物像及び重畳表示させている撮影画像が変化するため、ユーザに異物の写り込みについて注意を促すことができる。
【０１９４】
［第５の実施形態］
第５の実施形態におけるカメラの構成は、上述の第１の実施形態と同一であるので、その説明を省略する。第５の実施形態では、異物情報詳細表示モードにした際に、光学像である第１表示領域１９１の表示状態を変化させる点が第１の実施形態と異なる。
【０１９５】
図２６は、光学像として第１表示領域１９１で観察される像と、異物情報を重畳表示させた電子画像との関係を示す図である。ここでは図示するように、一定以上の大きさを持つ異物の数が予め定められた一定値を上回ると、第１表示領域１９１を暗くする。具体的には、ＣＰＵ１４１が、撮影レンズの絞りを絞り込む、あるいは、一定時間可動ミラー１２４をアップ状態に保持するように制御指示することにより実現される。これにより、相対的に第２表示領域１９０ｄの視認性を高め、多くの異物が撮影画像に写り込んでしまうことが予測される旨の注意をユーザに促すことができる。
【図面の簡単な説明】
【０１９６】
【図１】第１の実施形態におけるデジタル一眼レフカメラの電気回路の概略的構成を示す図である。
【図２】信号処理回路１４５の電気回路の構成およびそれに接続される周辺回路を示すブロック図である。
【図３】ファインダ装置１３０の構成を示す断面図である。
【図４】図３の矢印Ａ方向から視た場合のファインダ装置１３０の構成を示す側面図である。
【図５】液晶表示器１０８のＬＣＤ１０８ａの画面を示す図である。
【図６】ペンタプリズム１３２への光線の入射状態を示す図である。
【図７】ＬＣＤ表示領域１０８ｄに表示される電子画像の位置ズレ状態を示す図である。
【図８】ファインダ視野内の表示を示す図である。
【図９】第１の実施形態におけるデジタル一眼レフカメラの撮像動作手順を示すフローチャートである。
【図１０】動作シーケンスに基づくタイミングチャートである。
【図１１】第１の実施形態におけるデジタル一眼レフカメラの異物表示関わる構成を示すブロック図である。
【図１２】異物検出処理を説明するためのフローチャートである。
【図１３】異物情報メモリに記録される異物情報のデータ形式例を示す図である。
【図１４】ブロック単位で異物領域取得処理を行なう様子を示した図である。
【図１５】異物領域のＸｍａｘ、Ｘｍｉｎ、Ｙｍａｘ、Ｙｍｉｎとｒｉの関係を示した図である。
【図１６】異物領域取得ルーチンを説明するためのフローチャートである。
【図１７】均一輝度撮影ルーチンを説明するためのフローチャートである。
【図１８】通常撮影ルーチンを説明するためのフローチャートである。
【図１９】異物情報更新の概念を説明するための画像データの例を示す図である。
【図２０】異物情報更新ルーチンを説明するためのフローチャートである。
【図２１】第１の実施形態における光学像として第１表示領域で観察される像と、異物情報を重畳表示させた電子画像との関係を示す図である。
【図２２】第１の実施形態における異物情報表示の手順を示すフローチャートである。
【図２３】第２の実施形態における光学像として第１表示領域で観察される像と、異物情報を重畳表示させた電子画像との関係を示す図である。
【図２４】第３の実施形態における光学像として第１表示領域で観察される像と、異物情報を重畳表示させた電子画像との関係を示す図である。
【図２５】第４の実施形態における光学像として第１表示領域で観察される像と、異物情報を重畳表示させた電子画像との関係を示す図である。
【図２６】第５の実施形態における光学像として第１表示領域で観察される像と、異物情報を重畳表示させた電子画像との関係を示す図である。
【符号の説明】
【０１９７】
５０  デジタル一眼レフカメラ
１２７  撮像素子
１３０  ファインダ装置
１４１  ＣＰＵ
１４５  画像処理回路
１６８  接眼窓
１９０ｄ  第２表示領域
１９１  第１表示領域
【図１】
2010016614.tif 000003
【図２】
2010016614.tif 000004
【図３】
2010016614.tif 000005
【図４】
2010016614.tif 000006
【図５】
2010016614.tif 000007
【図６】
2010016614.tif 000008
【図７】
2010016614.tif 000009
【図８】
2010016614.tif 000010
【図９】
2010016614.tif 000011
【図１０】
2010016614.tif 000012
【図１１】
2010016614.tif 000013
【図１２】
2010016614.tif 000014
【図１３】
2010016614.tif 000015
【図１４】
2010016614.tif 000016
【図１５】
2010016614.tif 000017
【図１６】
2010016614.tif 000018
【図１７】
2010016614.tif 000019
【図１８】
2010016614.tif 000020
【図１９】
2010016614.tif 000021
【図２０】
2010016614.tif 000022
【図２１】
2010016614.tif 000023
【図２２】
2010016614.tif 000024
【図２３】
2010016614.tif 000025
【図２４】
2010016614.tif 000026
【図２５】
2010016614.tif 000027
【図２６】
2010016614.tif 000028